(57)【要約】      （修正有）【課題】蚊を電撃するときに独特の電子音声を生じる電撃蚊取りランプを提供する。【解決手段】蚊を誘導する光源と、蚊を捕殺する高圧電ネットと、及び当該高圧電ネットを駆動させる高圧電作業電気回路とが含まれ、電撃蚊取りランプ内には1つの高圧電作業電気回路と電気的に接続する核心電気回路が増設されている。そのうち、当該核心電気回路には触発制御電気回路３０並びに音声出力電気回路２０が含まれ、当該触発制御電気回路は1つの抵抗を通じて高圧電作業電気回路に接続し、当該音声出力電気回路には音声IC２１、スピーカー２２が含まれ、ダイオード全橋整流電気回路２３並びに降圧IC２４が含まれ、220V交流市内電力から当該音声ICの電源を供給する。【選択図】図２
0003129641.tif 000002
【実用新案登録請求の範囲】
【請求項１】
蚊を誘導する光源と、蚊を捕殺する高圧電ネットと、及び当該高圧電ネットを駆動させる高圧電作業電気回路とを含み、当該高圧電作業電気回路と電気的に接続する核心電気回路が増設され、当該核心電気回路には触発制御電気回路及び音声出力電気回路が含まれる一方、当該高圧電ネットが蚊を電撃した場合に、当該核心電気回路は当該触発制御電気回路を通じて当該音声出力回路を触発し、音声の出力動作を行うことを特徴とする、電撃蚊取りランプ。
【請求項２】
当該触発制御電気回路は少なくとも１つの抵抗を通じて当該高圧電作業電気回路に接続している、請求項１に記載の電撃蚊取りランプ。
【請求項３】
当該音声出力電気回路には１つの音声IC及び１つのスピーカーが含まれる、請求項１に記載の電撃蚊取りランプ。
【請求項４】
当該音声出力電気回路には音声IC及びスピーカーが含まれ、当該音声ICの接続脚（５）は触発端子であり、接続脚（３）、（４）は出力端子で、当該音声ICの触発端子は当該触発制御電気回路に接続している、請求項１に記載の電撃蚊取りランプ。
【請求項５】
当該核心電気回路にはダイオード全橋整流電気回路並びに降圧ICも含まれ、220V交流市内電力から当該音声出力電気回路が必要な電源を提供する、請求項１に記載の電撃蚊取りランプ。
【請求項６】
当該電撃蚊取りランプの電源端子は110V/220Vの交流電力に接続できる、  請求項１に記載の電撃蚊取りランプ。
【考案の詳細な説明】
【技術分野】
【０００１】
本考案は一種の電撃蚊取り装置に係り、特に一種の蚊取りランプが蚊を電撃するときに独特の電子音声を提供できることを指すものである。
【背景技術】
【０００２】
慣用の蚊取りランプの構造は主に蚊を誘導する光源、蚊を捕殺する高圧電ネット、及び高圧電ネットを駆動させる高圧電作業電気回路で構成され、当該高圧電作業電気回路には電源並びに昇圧電気回路が含まれ、蚊取りランプのスイッチを入れた場合、蚊は光源を受けて誘導され、高圧電ネットに触れて電撃を受け捕殺され、同時に「パチッ」という音声を発する。
【考案の開示】
【考案が解決しようとする課題】
【０００３】
しかし、この慣用の電撃蚊取りランプには以下のような欠点があった。
すなわち、電撃蚊取りランプが蚊を捕殺した場合、「パチッ」という音が非常に単調でしかも耳障りであり、この耳障りな音声は容易に人々の心情に影響し、且つ周囲のその他に人々をも邪魔することである。
【課題を解決するための手段】
【０００４】
本考案の主要目的は、一種の耳に優しい電子音を生じる電撃蚊取りランプを提供することで、その構造には蚊を誘導する光源と、蚊を捕殺する高圧電ネットと、及び当該高圧電ネットを駆動させる高圧電作業電気回路とが含まれ、電撃蚊取りランプ内には高圧電作業電気回路と接続した核心電気回路が増設され、そのうち、核心電気回路には触発制御電気回路並びに音声出力電気回路が含まれ、触発制御電気回路は抵抗を通じて620Vの高圧電作業電気回路に接続している。音声出力電気回路には音声IC、スピーカーが含まれ、音声ICの接続脚5は触発端子で、接続脚3、4は出力端子である。また、ダイオード全橋整流電気回路並びに降圧ICも含まれ、220Vの交流市内電力から音声ICの電源を提供している。
【考案の効果】
【０００５】
本考案の電撃蚊取りランプ(10)は、慣用の電撃蚊取りランプの電撃音と異なる独特な音声を提供して、使用者に本創作の電撃蚊取りランプ(10)使用の興味を増加させることである。
【考案を実施するための最良の形態】
【０００６】
図1に示すように、本考案は一種の電撃時に電子音声を発する電撃蚊取りランプ(10)で、その基本構造には蚊を誘導する光源(11)、蚊を捕殺する高圧電ネット(12)、及び高圧電ネットを駆動させる高圧電作業電気回路が含まれている。これは慣用の電撃蚊取りランプと同様である。
本考案の特徴は、1つの高圧電作業電気回路と電気的に接続する核心電気回路を増設していることである。
【０００７】
引き続き図1、2を参照すると、核心電気回路には触発制御電気回路(30)並びに音声出力電気回路(20)が含まれ、当該触発電気回路(30)は抵抗R6を通じて620Vの高圧電作業電気回路に接続している。当該音声出力電気回路(20)には音声IC(21)、スピーカー(22)が含まれ、そのうち、音声IC(21)の接続脚5は触発端子で、接続脚3、4は出力端子である。さらに本創作にはダイオード全橋整流電気回路(23)並びに降圧IC(24)も含まれ、220V交流市内電力から音声IC(21)の電源を提供している。
【０００８】
高圧電作業電気回路と蚊捕殺課程を結びつけるこの部分の核心電気回路の作業原理は以下の通りである。蚊取りランプには100VAC  50Hz/220VAC  50Hzで電力を供給し、コンデンサーで電圧を上昇させ、蚊を電撃捕殺する高圧電気を得ている。
電撃蚊取りランプ(10)の高圧電ネット(12)上には高圧の正、負極が接続され、同時に高圧電ネット(12)の内側には1本の蚊誘導ランプ管/光源(11)が設置され、この誘導ランプ管/光源(11)により蚊を誘導している。
【０００９】
蚊が高圧電ネット(12)に触れた場合、蚊を導体として直接高圧正、負極に短路を起こさせ、瞬間的に「パチッ」という音声を生じさせて、蚊を電撃捕殺する。図2に示すように、620VDC/2.8MAはアース両端が高圧電ネット(12)の正、負極上に接し、抵抗R6、コンデンサーC5を通じて三極管Q1(9015)、三極管Q2(9015)を停止状態に維持している。音声IC(21)は音声チップであり、スピーカー(22)は8オーム0.25Wである。
左側の2つのIN端子は電源入力端子で、220V/50Hz交流電に接続し、ヒューズ管F1を通り、さらにコンデンサーC1(1UF/400V)並びにダイオード全橋整流電気回路(23)を通って整流を降圧している。その後3端子電圧安定ブロック(U17805)(40)を通って5Vの安定電源を得て、音声IC(21)の第2接続脚に接続して電力を供給している。
【００１０】
電源スイッチが電源に接している時、蚊が高圧電ネット上で短路を引き起こした場合、瞬間的な交流激変信号が生じ、三極管Q1及び三極管Q2を導通状態にする。信号は音声IC(21)の第5接続脚の触発信号インターフェイス脚上に伝送されて音声IC(21)が信号を受け、音声IC(21)の第3接続脚(SPK)、第4接続脚(SPK)を通じてスピーカー(22)に出力され、スピーカーを促進して音声を発生する。音声IC(21)は多種の音声を保存でき、一回の触発で一種の音声を発し、その音声は循環して作用できる。
【図面の簡単な説明】
【００１１】
【図１】本考案に係る電撃蚊取りランプの外観図である。
【図２】本考案に係る電撃蚊取りランプの核心電気回路図である。
【符号の説明】
【００１２】
10  電撃蚊取りランプ
11  光源
12  高圧電ネット
20  音声出力電気回路
21  音声IC
22  スピーカー
23  ダイオード全橋整流電気回路
24  降圧IC
30  触発制御回路
【図１】
0003129641.tif 000003
【図２】
0003129641.tif 000004